(57)【要約】【課題】複数の画像を複数の方向に案内するためにレンズが利用される場合にも、各画像が案内される各方向の間の角度を大きくすることのできる技術を提供する。【解決手段】画像表示デバイス１２０は、複数の画像を形成するための画像形成層１２２と、画像形成層と一体的に設けられたレンズ層１２４と、を備える。レンズ層は、画像形成層に形成された複数の画像を、対応する複数の方向に案内するための複数のレンズを含む。【選択図】図１
2008216971.tif 000002
【特許請求の範囲】
【請求項１】
画像表示デバイスであって、
複数の画像を形成するための画像形成層と、
前記画像形成層と一体的に設けられたレンズ層であって、前記画像形成層に形成された前記複数の画像を、対応する複数の方向に案内するための複数のレンズを含む前記レンズ層と、
を備えることを特徴とする画像表示デバイス。
【請求項２】
請求項１記載の画像表示デバイスであって、
前記レンズ層は、前記画像形成層と隣接している、画像表示デバイス。
【請求項３】
請求項１または２記載の画像表示デバイスであって、さらに、
透光性板を備え、
前記レンズ層は、前記透光性板の内部に形成されている、画像表示デバイス。
【請求項４】
請求項１または２記載の画像表示デバイスであって、さらに、
透光性板を備え、
前記レンズ層は、前記透光性板と前記画像形成層との間に設けられている、画像表示デバイス。
【請求項５】
請求項４記載の画像表示デバイスであって、
前記レンズ層は、
第１の屈折率を有する第１の層と、
前記第１の屈折率よりも小さな第２の屈折率を有する第２の層と、
を含み、
前記第１の層は、前記第２の層側に設けられた前記複数の凸面を含む、画像表示デバイス。
【請求項６】
請求項５記載の画像表示デバイスであって、
前記レンズ層は、さらに、
前記第２の屈折率よりも大きな第３の屈折率を有する第３の層を含み、
前記第２の層は、前記第１の層と前記第３の層との間に設けられており、
前記第３の層は、前記第２の層側に設けられた複数の凸面を含む、画像表示デバイス。
【請求項７】
請求項５記載の画像表示デバイスであって、
前記レンズ層は、さらに、
前記第１の屈折率よりも小さな第４の屈折率を有する第４の層を含み、
前記第１の層は、前記第２の層と前記第４の層との間に設けられており、
前記第１の層は、さらに、前記第４の層側に設けられた複数の凸面を含む、画像表示デバイス。
【請求項８】
請求項５ないし７のいずれかに記載の画像表示デバイスであって、
前記レンズ層に含まれる前記第１の層と前記第２の層とのうちの一方の層は、前記透光性板上に設けられており、
前記一方の層の屈折率は、前記透光性板の屈折率とほぼ等しい、画像表示デバイス。
【請求項９】
請求項４記載の画像表示デバイスであって、
前記レンズ層に含まれる前記複数のレンズのそれぞれは、最も突出する領域に平面部分を有する、画像表示デバイス。
【請求項１０】
請求項４または９記載の画像表示デバイスであって、
前記レンズ層に含まれる前記複数のレンズのそれぞれは、フレネル状の断面を有する、画像表示デバイス。
【請求項１１】
請求項１ないし１０のいずれかに記載の画像表示デバイスであって、
前記画像形成層は、複数の画素を含み、
前記レンズ層に含まれる前記複数のレンズのそれぞれは、前記複数の画素のうちの一方向に連続する２以上の画素毎に設けられている、画像表示デバイス。
【請求項１２】
請求項１ないし１１のいずれかに記載の画像表示デバイスであって、
前記レンズ層は、前記画像形成層よりも観察者側に設けられている、画像表示デバイス。
【請求項１３】
請求項１ないし１２のいずれかに記載の画像表示デバイスであって、
前記画像形成層は、液晶層を含む、画像表示デバイス。
【発明の詳細な説明】
【技術分野】
【０００１】
本発明は、画像表示デバイスに関し、複数の画像を表示する技術に関する。
【背景技術】
【０００２】
近年、観察者に裸眼で立体画像を観察させる画像表示装置（立体画像表示装置）が開発されている。例えば、２眼式の立体画像表示装置では、２つの視差画像が表示されて、２つの視差画像は２つの方向に案内される。なお、該２つの方向の間の角度は、比較的小さい。そして、観察者は、右眼で第１の視差画像を観察し、左眼で第２の視差画像を観察することによって、立体画像を観察することができる。
【０００３】
なお、立体画像表示装置は、通常、液晶パネルと、バリア板またはレンズ板と、を含んでいる。バリア板は、複数の開口が設けられた遮光板である。また、レンズ板は、複数のシリンドリカルレンズを含む。
【０００４】
また、近年、観察者にその位置に応じて異なる画像（二次元画像）を観察させる画像表示装置（二次元画像表示装置）が開発されている。例えば、２画面用の二次元画像表示装置では、２つの画像が表示されて、２つの画像は２つの方向に案内される。なお、該２つの方向の間の角度は、比較的大きい。そして、第１の領域に位置する観察者は、第１の画像を観察することができ、第２の領域に位置する観察者は、第２の画像を観察することができる。
【０００５】
なお、二次元画像表示装置は、通常、液晶パネルと、バリア板と、を含んでいる。
【０００６】
【特許文献１】特開２００５−１７２９２５号公報
【発明の開示】
【発明が解決しようとする課題】
【０００７】
バリア板が利用される場合には、一部の光がバリア板に遮られるため、画像の輝度は、レンズ板が利用される場合よりも小さい。このため、レンズ板が利用されることが好ましい。
【０００８】
しかしながら、従来の二次元画像表示装置では、レンズ板は利用されていなかった。これは、レンズ板が利用される場合には、バリア板が利用される場合よりも、２つの画像が案内される２つの方向の間の角度を大きくするのが困難なためである。なお、この問題は、立体画像表示装置の場合にも同様である。
【０００９】
この発明は、従来技術における上述の課題を解決するためになされたものであり、複数の画像を複数の方向に案内するためにレンズが利用される場合にも、各画像が案内される各方向の間の角度を大きくすることを目的とする。
【課題を解決するための手段】
【００１０】
本発明は、上述の課題の少なくとも一部を解決するためになされたものであり、以下の形態又は適用例として実現することが可能である。
【００１１】
［適用例１］  画像表示デバイスであって、
複数の画像を形成するための画像形成層と、
前記画像形成層と一体的に設けられたレンズ層であって、前記画像形成層に形成された前記複数の画像を、対応する複数の方向に案内するための複数のレンズを含む前記レンズ層と、
を備えることを特徴とする画像表示デバイス。
【００１２】
この画像表示デバイスでは、レンズ層が画像形成層と一体的に設けられているため、画像形成層とレンズ層との間の距離を小さく設定することができ、この結果、各画像が案内される各方向の間の角度を大きくすることができる。
【００１３】
［適用例２］  請求項１記載の画像表示デバイスであって、
前記レンズ層は、前記画像形成層と隣接している、画像表示デバイス。
【００１４】
［適用例３］  適用例１または２記載の画像表示デバイスであって、さらに、
透光性板を備え、
前記レンズ層は、前記透光性板の内部に形成されている、画像表示デバイス。
【００１５】
こうすれば、画像表示デバイスをかなり薄型化することができる。
【００１６】
［適用例４］  適用例１または２記載の画像表示デバイスであって、さらに、
透光性板を備え、
前記レンズ層は、前記透光性板と前記画像形成層との間に設けられている、画像表示デバイス。
【００１７】
こうすれば、種々の態様のレンズ層を容易に実現することができる。
【００１８】
［適用例５］  適用例４記載の画像表示デバイスであって、
前記レンズ層は、
第１の屈折率を有する第１の層と、
前記第１の屈折率よりも小さな第２の屈折率を有する第２の層と、
を含み、
前記第１の層は、前記第２の層側に設けられた前記複数の凸面を含む、画像表示デバイス。
【００１９】
［適用例６］  適用例５記載の画像表示デバイスであって、
前記レンズ層は、さらに、
前記第２の屈折率よりも大きな第３の屈折率を有する第３の層を含み、
前記第２の層は、前記第１の層と前記第３の層との間に設けられており、
前記第３の層は、前記第２の層側に設けられた複数の凸面を含む、画像表示デバイス。
【００２０】
［適用例７］  適用例５記載の画像表示デバイスであって、
前記レンズ層は、さらに、
前記第１の屈折率よりも小さな第４の屈折率を有する第４の層を含み、
前記第１の層は、前記第２の層と前記第４の層との間に設けられており、
前記第１の層は、さらに、前記第４の層側に設けられた複数の凸面を含む、画像表示デバイス。
【００２１】
［適用例８］  適用例５ないし７のいずれかに記載の画像表示デバイスであって、
前記レンズ層に含まれる前記第１の層と前記第２の層とのうちの一方の層は、前記透光性板上に設けられており、
前記一方の層の屈折率は、前記透光性板の屈折率とほぼ等しい、画像表示デバイス。
【００２２】
こうすれば、上記の一方の層と透光性板との屈折率差に起因して、該一方の層と透光性板との間で光が反射するのを抑制することができる。
【００２３】
［適用例９］  適用例４記載の画像表示デバイスであって、
前記レンズ層に含まれる前記複数のレンズのそれぞれは、最も突出する領域に平面部分を有する、画像表示デバイス。
【００２４】
［適用例１０］  適用例４または９記載の画像表示デバイスであって、
前記レンズ層に含まれる前記複数のレンズのそれぞれは、フレネル状の断面を有する、画像表示デバイス。
【００２５】
こうすれば、レンズ層の厚みを小さくすることができる。
【００２６】
［適用例１１］  適用例１ないし８のいずれかに記載の画像表示デバイスであって、
前記画像形成層は、複数の画素を含み、
前記レンズ層に含まれる前記複数のレンズのそれぞれは、前記複数の画素のうちの一方向に連続する２以上の画素毎に設けられている、画像表示デバイス。
【００２７】
［適用例１２］  適用例１ないし１１のいずれかに記載の画像表示デバイスであって、
前記レンズ層は、前記画像形成層よりも観察者側に設けられている、画像表示デバイス。
【００２８】
［適用例１３］  適用例１ないし１２のいずれかに記載の画像表示デバイスであって、
前記画像形成層は、液晶層を含む、画像表示デバイス。
【００２９】
この発明は、種々の形態で実現することが可能であり、例えば、画像表示デバイス、該デバイスを備える画像表示装置、画像表示デバイスの製造方法等の形態で実現することができる。
【発明を実施するための最良の形態】
【００３０】
次に、本発明の実施の形態を実施例に基づき以下の順序で説明する。
Ａ．画像表示装置の構成：
Ｂ．液晶パネルの構成：
Ｃ．実施例と比較例との比較：
Ｄ．液晶パネルの変形例：
Ｅ．レンズ形状の変形例：
【００３１】
Ａ．画像表示装置の構成：
図１は、画像表示装置１００の構成を模式的に示す説明図である。画像表示装置１００は、バックライト１１０と、液晶パネル１２０と、制御回路１８０と、を備えている。なお、液晶パネル１２０が本発明における画像表示デバイスに相当する。
【００３２】
バックライト１１０は、液晶パネル１２０を照明するための光を射出する。バックライト１１０は、例えば、発光デバイスと拡散板とを含んでいる。
【００３３】
液晶パネル１２０は、画像形成層１２２と、レンズ層１２４と、を含んでいる。本実施例では、レンズ層１２４は、画像形成層１２２よりも観察者側に設けられている。
【００３４】
画像形成層１２２は、有意な画像、すなわち、観察者によって観察されるべき画像を形成する。具体的には、画像形成層１２２は、制御回路１８０から与えられた表示用画像データに従って、表示用画像を形成する。表示用画像には、複数の画像が含まれる。例えば、図１では、表示用画像には、第１の画像Ａと第２の画像Ｂとが含まれており、液晶パネル１２０内の第１の画像Ａを構成する画素と第２の画像Ｂを構成する画素とは、水平方向（行方向）に沿って交互に並んでいる。
【００３５】
レンズ層１２４は、画像形成層１２２に形成された複数の画像を、対応する複数の方向（すなわち視点）に案内する。具体的には、レンズ層１２４は、複数のシリンドリカルレンズが水平方向（行方向）に沿って配列されたレンチキュラレンズである。図１では、各シリンドリカルレンズは、水平方向（行方向）に配列された複数の画素のうち、隣接する２つの画素毎に設けられている。そして、画像形成層１２２に形成された２つの画像Ａ，Ｂは、レンズ層１２４を介して、対応する２つの方向に案内される。
【００３６】
なお、画像形成層１２２の画素のピッチＰと、レンズ層１２４のシリンドリカルレンズのピッチＬとは、以下の式（１）が満足されるように設定されている。
【００３７】
２・Ｐ：Ｌ＝Ｄ＋Ｇ：Ｄ
Ｐ：Ｑ＝Ｇ：Ｄ            …（１）
【００３８】
ここで、Ｄは、適視距離、すなわち観察者と液晶パネル１２０（具体的にはレンズ層１２４）との間の距離を示し、例えば、約０．５〜約２ｍに設定される。なお、Ｄは、メーカによって画像表示装置１００の設計の際に決定される値であり、観察者は、液晶パネル１２０から適視距離Ｄだけ離れた位置（適視位置）において、各画像Ａ，Ｂを観察することができる。Ｑは、適視距離Ｄにおいて２つの画像Ａ，Ｂが分離される間隔であり、適視距離Ｄにおいて各画像を適切に観察可能な領域（適視領域）ＷＡ，ＷＢの幅と等しい。Ｇは、画像形成層１２２とレンズ層１２４との間の距離を示す。
【００３９】
なお、図１では、図示が省略されているが、実際には、液晶パネル１２０の光入射面側と光射出面側とには、それぞれ偏光板が配置されている。
【００４０】
制御回路１８０は、画像表示装置１００の全体を制御する。具体的には、制御回路１８０は、バックライト１１０の動作と液晶パネル１２０の動作とを制御する。なお、制御回路１８０の機能は、ＣＰＵがメモリに格納されたコンピュータプログラムを実行することによって実現される。コンピュータプログラムは、ＣＤ−ＲＯＭなどのコンピュータ読み取り可能な記録媒体に記録された形態で提供される。
【００４１】
制御回路１８０は、画像供給部１８２を含んでおり、画像供給部１８２は、外部から与えられた２つの画像データＰＳＡ，ＰＳＢを用いて、表示用画像データを生成する。なお、表示用画像データが生成される際には、各画像データに対して間引き処理が行われる。そして、画像供給部１８２は、該表示用画像データを液晶パネル１２０に供給する。また、制御回路１８０は、バックライト１１０のオン・オフを制御する。
【００４２】
図２は、２つの画像Ａ，Ｂが表示される過程を示す説明図である。図２（Ａ）は、画像形成層１２２に形成される表示用画像を示している。図２（Ｂ）は、レンズ層１２４を示している。図２（Ｃ），（Ｄ）は、観察者によって観察される画像を示している。
【００４３】
図２（Ａ）に示すように、表示用画像は、第１の画像Ａと第２の画像Ｂとを含んでいる。図２（Ａ）では、奇数列に属する画素群は、第１の画像Ａを構成し、偶数列に属する画素群は、第２の画像Ｂを構成する。なお、各列の画素群には、赤色，緑色，青色用の画素が含まれる。
【００４４】
図２（Ｂ）に示すように、レンズ層１２４は、複数のシリンドリカルレンズを含んでおり、画像形成層１２２の２つの列に属する画素群に対応して１つのシリンドリカルレンズが設けられている。
【００４５】
図２（Ａ）に示す表示用画像が液晶パネル１２０に形成されると、第１の適視領域ＷＡに位置する観察者には、図２（Ｃ）に示すように、表示用画像内の第１の画像Ａのみが観察され、第２の適視領域ＷＢに位置する観察者には、図２（Ｄ）に示すように、表示用画像内の第２の画像Ｂのみが観察される。これは、液晶パネル１２０の第１の画像Ａを構成する画素群から射出された光は、レンズ層１２４によって第１の適視領域ＷＡに導かれ、第２の適視領域ＷＢに導かれないためである。また、液晶パネル１２０の第２の画像Ｂを構成する画素群から射出された光は、レンズ層１２４によって第２の適視領域ＷＢに導かれ、第１の適視領域ＷＡに導かれないためである。
【００４６】
このように、観察者は、その位置に応じて、互いに異なる２つの画像Ａ，Ｂを観察することができる。
【００４７】
Ｂ．液晶パネルの構成：
図３は、液晶パネル１２０の具体的な構成を示す説明図である。図示するように、液晶パネル１２０は、バックライト１１０（図１）側に設けられた第１のガラス基板２１０と、観察者側に設けられた第２のガラス基板２２０と、２つのガラス基板２１０，２２０に挟まれたセルアレイ２３０と、を含んでいる。セルアレイ２３０は、マトリクス状に配列された複数のセルを含んでいる。なお、図３において破線で囲まれた部分が１つのセル（画素）である。
【００４８】
セルアレイ２３０は、トランジスタ層２３２と、液晶層２３４と、電極層２３６と、カラーフィルタ層２３８と、を含んでいる。トランジスタ層２３２は、複数のセルに対応する複数の薄膜トランジスタ（ＴＦＴ）を含んでいる。電極層２３６は、共通電極（透明電極）である。カラーフィルタ層２３８は、各セルに対応するカラーフィルタ、より具体的には、赤色，青色、または緑色のフィルタを含んでいる。
【００４９】
第２のガラス基板２２０は、屈折率の比較的高い第１の層Ｌａと、屈折率の比較的低い第２の層Ｌｂと、を含んでいる。第１の層Ｌａは、第２の層Ｌｂ側に複数の凸面を有するレンチキュラレンズである。
【００５０】
なお、セルアレイ２３０が、図１の画像形成層１２２に対応する。また、第２のガラス基板２２０内部に含まれる第１の層Ｌａが、図１のレンズ層１２４に対応する。この説明から分かるように、本実施例における第２のガラス基板２２０が本発明における透光性板に相当する。
【００５１】
液晶パネル１２０は、以下のように作製される。まず、第１のガラス基板２１０が準備され、該ガラス基板２１０上にトランジスタ層２３２が形成される。また、第２のガラス基板２２０が準備され、該ガラス基板２２０上に、カラーフィルタ層２３８と電極層２３６とがこの順序で形成される。その後、処理済みの第１のガラス基板２１０と処理済みの第２のガラス基板２２０との間に、より具体的には、第１のガラス基板２１０に設けられたトランジスタ層２３２と第２のガラス基板２２０に設けられた電極層２３６との間に、液晶層２３４が封入される。これにより、液晶パネル１２０が得られる。
【００５２】
第２のガラス基板２２０は、本実施例では、イオン交換を利用して作製される。この手法では、まず、Ｎａ，Ｋ等を含んだガラス基板が準備される。次に、該ガラス基板上にマスク（例えば、Ｔｉ膜）が形成される。マスクは、スリット状の複数の開口部を有する。その後、マスクが施されたガラス基板が、イオン交換用の溶融塩（例えば、Ｔｌ，Ｌｉ，Ａｇ，Ｃｅなどを含む塩）に浸され、複数の開口部を介して、イオン交換が行われる。この結果、ガラス基板内に、略半円形の断面を有する複数のシリンダ状の領域が形成される。該領域は、ガラス基板よりも高い屈折率を有し、同心円状の屈折率分布を有している。これにより、第２のガラス基板２２０が得られる。なお、この手法は、例えば、特開平６−４３３０６号公報や特開平１１−２４８９０５号公報などに開示されている。
【００５３】
上記のように、本実施例では、レンズ層１２４（Ｌａ）が液晶パネル１２０内部に形成されているため、画像形成層１２２（２３０）とレンズ層１２４（Ｌａ）との間の距離Ｇを小さくすることができる。このように、レンズ層１２４が液晶パネル１２０内部に形成される場合には、以下に説明するように、２つの画像Ａ，Ｂを容易に分離することができる。換言すれば、２つの画像が案内される２つの方向の間の角度を容易に大きくすることができる。
【００５４】
Ｃ．実施例と比較例との比較：
以下では、比較例について説明し、比較例と実施例とを対比しつつ実施例の利点を説明する。
【００５５】
図４は、図３の液晶パネル１２０に対応する比較例の構成を示す説明図である。図示するように、比較例では、図３の液晶パネル１２０に代えて、液晶パネル１２０ｚと、液晶パネル１２０ｚの光射出面側に設けられたレンズ板１３０ｚと、が利用されている。
【００５６】
液晶パネル１２０ｚは、図３の液晶パネル１２０とほぼ同様であるが、第２のガラス基板２２０ｚが変更されている。具体的には、レンズ板１３０ｚの追加に伴って、第２のガラス基板２２０ｚ内部には、レンズ層１２４は設けられていない。なお、レンズ板１３０ｚは、レンズ層１２４と同様にレンチキュラレンズを構成する。
【００５７】
図３，図４を比較して分かるように、比較例では、レンズ板１３０ｚは、液晶パネル１２０ｚの外部に独立して設けられているため、レンズ板１３０ｚの厚みはかなり厚い。これは、レンチキュラレンズを支持する支持基板（例えばガラス基板）が必要となるためである。この結果、画像形成層１２２（２３０）とレンズ板１３０ｚとの間の距離Ｇｚは、実施例における画像形成層１２２（２３０）とレンズ層１２４との間の距離Ｇよりもかなり大きくなっている。例えば、実施例の距離Ｇは、約５０μｍであるが、比較例の距離Ｇｚは、通常、約５００μｍよりも大きい。
【００５８】
なお、比較例においても、ガラス基板２２０ｚとレンズ板１３０ｚとを研磨すれば、画像形成層１２２とレンズ板１３０ｚとの間の距離Ｇｚを小さくすることができる。しかしながら、ガラス基板２２０ｚとレンズ板１３０ｚの支持基板とを精度良く研磨するのは通常困難である。これは、研磨済みのガラス基板，支持基板の厚み（例えば約５０μｍ）に対して、研磨後の表面粗さ（例えば約３０μｍ）が比較的大きいためである。
【００５９】
図５は、実施例および比較例における２つの画像Ａ，Ｂに対応する２つの適視領域を示す説明図である。図５（Ａ）は、実施例における２つの適視領域ＷＡ，ＷＢを示しており、図５（Ｂ）は、比較例における２つの適視領域ＷＡｚ，ＷＢｚを示している。なお、図５（Ａ），（Ｂ）では、同じ適視距離Ｄが実現されている。
【００６０】
比較例においても、実施例と同様に、第１の適視領域ＷＡｚに位置する観察者は、第１の画像Ａを観察することができ、第２の適視領域ＷＢｚに位置する観察者は、第２の画像Ｂを観察することができる。
【００６１】
ただし、比較例における適視領域ＷＡｚ，ＷＢｚの幅Ｑｚは、実施例における適視領域ＷＡ，ＷＢの幅Ｑよりも小さい。これは、前述したように、比較例では、距離Ｇｚは、実施例の距離Ｇよりも大きく、この結果、比較例では、２つの画像Ａ，Ｂが分離される角度（以下、「分離角度」とも呼ぶ）θｚが、実施例の分離角度θよりも小さくなるためである。
【００６２】
ここで、分離角度θ（θｚ）は、液晶パネル１２０（１２０ｚ）の中心近傍に配置された隣接する２つの画素の２つの中心と、該２つの画素に対応する１つのシリンドリカルレンズの中心と、を結ぶ２つの直線Ｋａ，Ｋｂ（Ｋａｚ，Ｋｂｚ）の成す角度を意味する。
【００６３】
なお、図５（Ａ），（Ｂ）では、同じ適視距離Ｄが実現されているため、比較例のピッチＬｚは、実施例のピッチＬよりも小さく設定されている。
【００６４】
図５（Ａ），（Ｂ）に示すように、実施例と比較例とで同じ適視距離Ｄが実現される場合には、実施例では、比較例よりも、適視領域ＷＡ，ＷＢの幅Ｑを大きくすることができる。なお、式（１）から分かるように、実施例と比較例とで同じ適視領域の幅Ｑが実現される場合には、実施例では、比較例よりも、適視距離Ｄを小さくすることができる。
【００６５】
Ｄ．液晶パネルの変形例：
上記実施例では、第２のガラス基板２２０の内部にレンズ層１２４が形成されているが、これに代えて、第２のガラス基板の外部にレンズ層が形成されていてもよい。ただし、変形例でも、実施例と同様に、レンズ層は液晶パネル内部に設けられる。
【００６６】
図６は、液晶パネルの種々の変形例を示す説明図である。図６（Ａ）は、第１の変形例における液晶パネル１２０Ａを示す。この液晶パネル１２０Ａは、図３に示す液晶パネル１２０とほぼ同じであるが、第２のガラス基板２２０に代えて、第２のガラス基板２２０Ａと、レンズ層２２４Ａと、を含んでいる。なお、レンズ層２２４Ａは、図１のレンズ層１２４に対応する。レンズ層２２４Ａは、屈折率の互いに異なる２つの層ＬＡ１，ＬＡ２を含んでいる。第１の層ＬＡ１は、第２のガラス基板２２０Ａ側に設けられており、屈折率の比較的低い層である。第２の層ＬＡ２は、セルアレイ２３０側に設けられており、屈折率の比較的高い層である。第２の層ＬＡ２は、第１の層ＬＡ１側に複数の凸面を有するレンチキュラレンズである。
【００６７】
なお、図６（Ａ）の第２の層ＬＡ２が本発明における第１の層に相当し、第１の層ＬＡ１が本発明における第２の層に相当する。
【００６８】
図６（Ｂ）は、第２の変形例における液晶パネル１２０Ｂを示す。液晶パネル１２０Ｂは、図６（Ａ）の液晶パネル１２０Ａとほぼ同じであるが、レンズ層２２４Ｂが変更されている。具体的には、レンズ層２２４Ｂは、屈折率の互いに異なる２つの層ＬＢ１，ＬＢ２を含んでいる。第１の層ＬＢ１は、第２のガラス基板２２０Ａ側に設けられており、屈折率の比較的高い層である。第２の層ＬＢ２は、セルアレイ２３０側に設けられており、屈折率の比較的低い層である。第１の層ＬＢ１は、第２の層ＬＢ２側に複数の凸面を有するレンチキュラレンズである。
【００６９】
なお、図６（Ｂ）の第１の層ＬＢ１が本発明における第１の層に相当し、第２の層ＬＢ２が本発明における第２の層に相当する。
【００７０】
図６（Ｃ）は、第３の変形例における液晶パネル１２０Ｃを示す。液晶パネル１２０Ｃは、図６（Ａ），（Ｂ）の液晶パネル１２０Ａ，１２０Ｂとほぼ同じであるが、レンズ層２２４Ｃが変更されている。具体的には、レンズ層２２４Ｃは、３つの層ＬＣ１〜ＬＣ３を含んでいる。第１の層ＬＣ１と第３の層ＬＣ３とは、それぞれ、第２のガラス基板２２０Ａ側とセルアレイ２３０側とに設けられており、共に屈折率の比較的高い層である。第２の層ＬＣ２は、第１および第３の層ＬＣ１，ＬＣ３の間に設けられており、屈折率の比較的低い層である。第１の層ＬＣ１は、第２の層ＬＣ２側に複数の凸面を有するレンチキュラレンズである。また、第３の層ＬＣ３も、第２の層ＬＣ２側に複数の凸面を有するレンチキュラレンズである。なお、外側の２つの層ＬＣ１，ＬＣ３の屈折率は、同じであってもよいし、異なっていてもよい。
【００７１】
なお、図６（Ｃ）の第１，第２，第３の層ＬＣ１，ＬＣ２，ＬＣ３がそれぞれ本発明における第１，第２，第３の層に相当する。
【００７２】
図６（Ｄ）は、第４の変形例における液晶パネル１２０Ｄを示す。液晶パネル１２０Ｄは、図６（Ａ）〜（Ｃ）の液晶パネル１２０Ａ〜１２０Ｃとほぼ同じであるが、レンズ層２２４Ｄが変更されている。具体的には、レンズ層２２４Ｄは、３つの層ＬＤ１〜ＬＤ３を含んでいる。第１の層ＬＤ１と第３の層ＬＤ３とは、それぞれ、第２のガラス基板２２０Ａ側とセルアレイ２３０側とに設けられており、共に屈折率の比較的低い層である。第２の層ＬＤ２は、第１および第３の層ＬＤ１，ＬＤ３の間に設けられており、屈折率の比較的高い層である。第２の層ＬＤ２は、第１の層ＬＤ１側と第３の層ＬＤ３側との双方に複数の凸面を有するレンチキュラレンズである。なお、２つの層ＬＤ１，ＬＤ３の屈折率は、同じであってもよいし、異なっていてもよい。
【００７３】
なお、図６（Ｄ）の第１，第２，第３の層ＬＤ１，ＬＤ２，ＬＤ３がそれぞれ本発明における第２，第１，第４の層に相当する。
【００７４】
図６（Ａ）〜（Ｄ）に示す各レンズ層２２４Ａ〜２２４Ｄは、種々の手法を利用して作製可能である。
【００７５】
本実施例では、各レンズ層２２４Ａ〜２２４Ｄは、光硬化性樹脂を用いて、第２のガラス基板２２０Ａ上に各層を順次形成することによって、作製される。例えば、図６（Ａ）のレンズ層２２４Ａが作製される場合には、まず、第２のガラス基板２２０Ａ上に、第１種の樹脂が塗布され、第１の樹脂層が設けられる。次に、第１の成形型を利用して、第１の樹脂層の表面に複数の凹面が形成される。その後、第１の樹脂層に光（例えば紫外線）が照射され、屈折率の比較的低い第１の層ＬＡ１が形成される。続いて、第１の層ＬＡ１上に、第２種の樹脂が塗布され、第２の樹脂層が設けられる。次に、第２の成形型を利用して、第２の樹脂層の表面に平面が形成される。その後、第２の樹脂層に光が照射され、屈折率の比較的高い第２の層ＬＡ２が形成される。これにより、第２のガラス基板２２０Ａ上にレンズ層２２４Ａが形成される。なお、この後、実施例と同様に、該レンズ層２２４Ａ上に、カラーフィルタ層２３８と電極層２３６とがこの順序で形成される。
【００７６】
なお、本実施例では、光硬化性樹脂が利用されているが、これに代えて、熱硬化性樹脂が利用されてもよい。
【００７７】
ところで、レンズ層２２４Ａ〜２２４Ｄを構成する複数の層のうち、第２のガラス基板２２０Ａ上に設けられた層ＬＡ１〜ＬＤ１の屈折率は、第２のガラス基板２２０Ａの屈折率とほぼ等しいことが好ましい。例えば、層ＬＡ１〜ＬＤ１の屈折率と第２のガラス基板２２０Ａの屈折率との差は、０．０５以下であることが好ましく、０．０１以下であることが望ましい。こうすれば、屈折率差に起因して、層ＬＡ１〜ＬＤ１と第２のガラス基板２２０Ａとの間で画像を表す光の一部が反射するのを抑制することができる。
【００７８】
上記のように、変形例では、レンズ層２２４Ａ〜２２４Ｄは、第２のガラス基板２２０Ａとセルアレイ２３０との間に形成されているため、種々の態様のレンズ層を容易に作製することができる。
【００７９】
Ｅ．レンズ形状の変形例：
図６（Ａ）〜（Ｄ）では、レンズ層２２４Ａ〜２２４Ｄは、図面に垂直な方向に延びる複数のレンズ（シリンドリカルレンズ）を含んでおり、各レンズは、略半円形の断面形状を有しているが、他の断面形状を有していてもよい。
【００８０】
図７は、レンズ形状の第１の変形例を示す説明図である。図７に示す液晶パネル１２０Ａａは、図６（Ａ）の液晶パネル１２０Ａとほぼ同じであるが、レンズ層２２４Ａａが変更されている。具体的には、屈折率の比較的低い第１の層ＬＡ１ａの形状と、屈折率の比較的高い第２の層ＬＡ２ａの形状と、の双方が変更されている。
【００８１】
第２の層ＬＡ２ａは、第１の層ＬＡ１ａ側に複数の凸面を有するレンチキュラレンズであり、図面に垂直な方向に延びる複数のレンズを含んでいる。ただし、図６（Ａ），図７を比較して分かるように、図７に示す第２の層ＬＡ２ａの各凸面は、最も突出する領域に平面部分を含んでいる。そして、各平面部分は、第２のガラス基板２２０Ａと接触している。
【００８２】
このように、各レンズの最も突出する領域に平面部分が形成されたレンズ層２２４Ａａを利用すれば、レンズ層２２４Ａａの厚みを小さくすることができる。
【００８３】
図８は、レンズ形状の第２の変形例を示す説明図である。図８に示す液晶パネル１２０Ａｂは、図６（Ａ）の液晶パネル１２０Ａとほぼ同じであるが、レンズ層２２４Ａｂが変更されている。具体的には、屈折率の比較的低い第１の層ＬＡ１ｂの形状と、屈折率の比較的高い第２の層ＬＡ２ｂの形状と、の双方が変更されている。
【００８４】
第２の層ＬＡ２ｂは、第１の層ＬＡ１ｂ側に複数の凸面を有するレンチキュラレンズであり、図面に垂直な方向に延びる複数のレンズを含んでいる。ただし、図６（Ａ），図８を比較して分かるように、図８に示す第２の層ＬＡ２ｂの各凸面は、フレネルレンズと同様の断面形状（フレネル状の断面形状）を有している。さらに、第２の層ＬＡ２ｂの各凸面は、図７と同様に、最も突出する領域に平面部分を含んでいる。そして、各平面部分は、第２のガラス基板２２０Ａと接触している。
【００８５】
このように、各レンズがフレネル状の断面形状を有し、かつ、各レンズの最も突出する領域に平面部分が形成されたレンズ層２２４Ａｂを利用すれば、レンズ層２２４Ａｂの厚みをかなり小さくすることができる。
【００８６】
図７，図８に示すように、レンズ形状を変更すれば、レンズ層２２４Ａａ，２２４Ａｂの厚みを、図６（Ａ）のレンズ層２２４Ａよりも小さくすることができる。このため、液晶パネル１２０Ａａ，１２０Ａｂの厚みを小さくすることが可能となる。
【００８７】
なお、図７，図８に示すレンズ層２２４Ａａ，２２４Ａｂを採用する場合にも、２つの画像Ａ，Ｂを、対応する２つの方向に案内することができる（図１参照）。これは、レンズ層２２４Ａａ，２２４Ａｂに含まれる各レンズの平面部分は、レンズとして機能しないが、バリア板の開口と同様に機能するためである。すなわち、画像Ａを構成する画素群から射出されてレンズ層２２４Ａａ，２２４Ａｂの平面部分を通る光は、第１の適視領域ＷＡに位置する観察者に導かれるが、第２の適視領域ＷＢに位置する観察者には導かれない。一方、画像Ｂを構成する画素群から射出されてレンズの平面部分を通る光は、第２の適視領域ＷＢに位置する観察者に導かれるが、第１の適視領域ＷＡに位置する観察者には導かれない。この結果、適視領域ＷＡに位置する観察者は、画像Ａのみを観察することができ、適視領域ＷＢに位置する観察者は、画像Ｂのみを観察することができる。
【００８８】
図７，図８に示すレンズ層２２４Ａａ，２２４Ａｂを構成する２つの層のうち、第２のガラス基板２２０Ａ上に設けられた第１の層ＬＡ１ａ，ＬＡ１ｂの屈折率は、第２のガラス基板２２０Ａの屈折率とほぼ等しいことが好ましい。こうすれば、第２のガラス基板２２０Ａと第１の層ＬＡ１ａ，ＬＡ１ｂとの界面における光の反射を抑制することができる。ただし、第２の層ＬＡ２ａ，ＬＡ２ｂは、第２のガラス基板２２０Ａに接触する平面部分を含んでいる。このため、第２の層ＬＡ２ａ，ＬＡ２ｂの屈折率が、第２のガラス基板２２０Ａの屈折率とほぼ等しく設定されていてもよい。こうすれば、第２のガラス基板２２０Ａと第２の層ＬＡ２ａ，ＬＡ２ｂとの界面における光の反射を抑制することができる。
【００８９】
図７，図８に示すレンズ層２２４Ａａ，２２４Ａｂも、図６で説明した手法で作製可能である。特に、図７，図８のレンズ層２２４Ａａ，２２４Ａｂを採用する場合には、図６（Ａ）のレンズ層２２４Ａを採用する場合よりも、レンズ層のセルアレイ２３０側の面をより平坦にすることができるという利点がある。
【００９０】
具体的には、図６（Ａ）のレンズ層２２４Ａが形成される場合には、前述のように、第２のガラス基板２２０上に第１の層ＬＡ１が形成された後に、第２の層ＬＡ２が形成される。すなわち、第２の層ＬＡ２が形成される際には、既に、凹凸を有する第１の層ＬＡ１が形成されている。なお、第１の層ＬＡ１の凹凸差（すなわち凹凸の最も高い位置と最も低い位置との差分）は、レンズの半円形の断面形状に依存している。このため、第２の層ＬＡ２を形成する際に、第１の層ＬＡ１上に第２種の樹脂を塗布すると、第２の樹脂層には、第１の層ＬＡ１の凹凸差に応じた比較的大きな凹凸が形成される。この結果、第２の層ＬＡ２のセルアレイ２３０側の面を平坦するのが比較的困難となる。
【００９１】
一方、図７，図８のレンズ層２２４Ａａ，２２４Ａｂが形成される場合にも、第２の層ＬＡ２ａ，ＬＡ２ｂが形成される際には、既に、凹凸を有する第１の層ＬＡ１ａ，ＬＡ１ｂが形成されている。ただし、第１の層ＬＡ１ａ，ＬＡ１ｂの凹凸差は、図６（Ａ）の第１の層ＬＡ１の凹凸差よりも小さい。これは、図７では、各レンズが最も突出する領域に平面部分を含んでいるためである。また、図８では、各レンズがフレネル状の断面形状を有すると共に、各レンズが最も突出する領域に平面部分を含んでいるためである。このため、第２の層ＬＡ２ａ，ＬＡ２ｂを形成する際に、第１の層ＬＡ１ａ，ＬＡ１ｂ上に第２種の樹脂を塗布すると、第２の樹脂層には、第１の層ＬＡ１ａ，ＬＡ１ｂの凹凸差に応じた比較的小さな凹凸が形成される。この結果、第２の層ＬＡ２ａ，ＬＡ２ｂのセルアレイ２３０側の面をより平坦にすることができる。
【００９２】
なお、図６（Ａ），図７，図８では、レンズ層２２４Ａ，２２４Ａａ，２２４Ａｂとセルアレイ２３０とは、隣接しているが、レンズ層とセルアレイとの距離を調整するために、レンズ層とセルアレイとの間には、樹脂フィルムやプラスチックフィルムなどのフィルム層が介在していてもよい。この場合には、例えば、第２のガラス基板２２０Ａ上に形成されたレンズ層上にフィルム層が貼り付けられ、該フィルム層の上に、カラーフィルタ層２３８や電極層２３６が形成されればよい。この場合にも、図７，図８のレンズ層２２４Ａａ，２２４Ａｂを採用すれば、フィルム層の表面をより平坦にすることができる。
【００９３】
また、図８では、各レンズは、最も突出する領域に平面部分を含んでいるが、平面部分は省略可能である。この場合には、各レンズが、フレネル状の断面を有していればよい。この場合にも、レンズ層の厚みを小さくすることができると共に、レンズ層のセルアレイ側の面を平坦にすることができる。
【００９４】
さらに、図７，図８では、レンズ形状の変形は、図６（Ａ）のレンズ層２２４Ａに適用されているが、図６（Ｂ）〜（Ｄ）のレンズ層２２４Ｂ〜２２４Ｄにも適用可能である。
【００９５】
以上説明したように、本実施例（および変形例）では、液晶パネル１２０内部に、画像形成層１２２とレンズ層１２４（Ｌａ，２２４Ａ〜２２４Ｄ，２２４Ａａ，２２４Ａｂ）とが設けられている。換言すれば、本実施例では、レンズ層１２４は画像形成層１２２と一体的に設けられている。ここで、「一体的に設けられている」とは、図３，図６に示すように画像形成層１２２とレンズ層１２４とが隣接しており、画像形成層１２２とレンズ層１２４とが直接的に接続されている場合と、画像形成層とレンズ層との間に他の層（例えば前述のフィルム層）が介在し、画像形成層とレンズ層とが間接的に接続されている場合と、の双方を含む意味である。このため、画像形成層１２２とレンズ層１２４との間の距離を小さくすることができ、この結果、２つの画像Ａ，Ｂが案内される２つの方向の間の角度（分離角度）を大きくすることができる。
【００９６】
このため、前述したように、実施例と比較例とで同じ適視距離Ｄが実現される場合には、実施例の構成を採用することにより、適視領域ＷＡ，ＷＢの幅Ｑを大きくすることができる。この結果、観察者によって２つの画像Ａ，Ｂが同時に観察される現象（二重像）の発生を抑制することができる。また、前述したように、実施例と比較例とで同じ適視領域の幅が実現される場合には、実施例の構成を採用することにより、適視距離Ｄを小さくすることができる。
【００９７】
また、本実施例では、液晶パネル１２０内部にレンズ層１２４が設けられているため、レンズ板が液晶パネルの外部に設けられる場合よりも、画像表示装置１００を薄型化することができる。特に、変形例（図６，図７，図８）では、第２のガラス基板２２０Ａ上にレンズ層２２４Ａ〜２２４Ｄ，２２４Ａａ，２２４Ａｂが形成されているが、実施例（図３）では、第２のガラス基板２２０内部にレンズ層Ｌａが形成されている。このため、実施例の構成を採用すれば、画像表示デバイス（液晶パネル）をかなり薄型化することができる。
【００９８】
さらに、本実施例では、レンズ層１２４が利用されているため、複数の開口が設けられたバリア板が利用される場合よりも、表示される画像の輝度を増大させることができる。
【００９９】
なお、この発明は上記の実施例や実施形態に限られるものではなく、その要旨を逸脱しない範囲において種々の態様で実施することが可能であり、例えば次のような変形も可能である。
【０１００】
（１）上記実施例では、画像表示装置は、２つの画像を表示しているが、これに代えて、３以上の画像を表示するようにしてもよい。なお、この場合には、レンズ層１２４に含まれる各シリンドリカルレンズは、連続する３以上の画素毎に設けられればよい。
【０１０１】
また、上記実施例では、各シリンドリカルレンズは、水平方向（行方向）に連続する２つの画素毎に設けられているが、これに代えて、垂直方向（列方向）に連続する２つの画素毎に設けられるようにしてもよい。
【０１０２】
さらに、上記実施例では、図２で説明したように、各画像は、液晶パネル１２０内のストライプ状に配列された一部の画素群に形成されているが、これに代えて、各画像は、液晶パネル１２０内の階段状に配列された一部の画素群に形成されていてもよい。この場合には、レンズ層１２４には、ライン状に配列された複数のシリンドリカルレンズに代えて、階段状に配列された複数のシリンドリカルレンズが含まれればよい。
【０１０３】
一般には、レンズ層に含まれる複数のレンズのそれぞれは、複数の画素のうちの一方向に連続する２以上の画素毎に設けられていればよい。
【０１０４】
（２）上記実施例では、レンズ層１２４が画像形成層１２２よりも観察者側に設けられているが、これに代えて、画像形成層１２２がレンズ層１２４よりも観察者側に設けられるようにしてもよい。
【０１０５】
（３）上記実施例では、透過型の液晶パネルが利用されているが、これに代えて、反射型の液晶パネルが利用されてもよい。
【０１０６】
（４）上記実施例では、液晶パネル１２０とバックライト１１０とが利用されているが、これに代えて、ＰＤＰ（プラズマディスプレイパネル），ＥＬ（エレクトロルミネッセンス）ディスプレイ，ＦＥＤ（電界放出ディスプレイ）などの自発光タイプの表示パネルが利用されてもよい。
【０１０７】
（５）上記実施例では、本発明は、二次元画像表示装置用の画像表示デバイスに適用されているが、これに代えて、立体画像表示装置用の画像表示デバイスに適用されてもよい。なお、二次元画像表示装置用の画像表示デバイスでは、画像形成層１２２とレンズ層１２４との間の距離Ｇは、前述したように、例えば約５０μｍに設定されるが、立体画像表示装置用の画像表示デバイスでは、距離Ｇは、例えば約５００μｍに設定される。
【０１０８】
なお、携帯型の電子機器で二次元画像または立体画像を表示する場合には、適視距離が比較的小さく設定されることが好ましい。本発明を適用すれば、２つの画像を比較的小さな適視距離で分離することができるため、本発明は、携帯型の電子機器に好適である。
【０１０９】
（６）上記実施例において、ハードウェアによって実現されていた構成の一部をソフトウェアに置き換えてもよく、逆に、ソフトウェアによって実現されていた構成の一部をハードウェアに置き換えてもよい。
【０１１０】
（７）上記実施例では、レンズ層は、屈折率の比較的高い層（高屈折率層）と、屈折率の比較的低い層（低屈折率層）と、を含んでいる。各屈折率層を形成する材料としては、以下のようなものを利用可能である。
【０１１１】
高屈折率層の材料としては、例えば、ビス（４−メタクリロイルチオフェニル）スルフィド，ビニルナフタレン，ビニルフェニルスルフィド，４−メタクリロキシフェニル−４’−メトキシフェニルチオエーテル等のモノマーを利用可能である。なお、屈折率を高める場合には、モノマーと開始剤と有機置換されたケイ素化合物とを含む混合液中に、屈折率の高い無機粒子を分散させて得られる組成物を硬化させればよい。無機粒子としては、例えば、ＺｒＯ2 ，ＴｉＯ2を用いることができる。
【０１１２】
また、高屈折率層の材料としては、ＰＭＭＡなどのアクリル樹脂，ポリカーボネート樹脂，ポリエーテルスルホン樹脂，ポリスチレンなどのスチレン樹脂，ポリオレフィン樹脂，エポキシ樹脂，ポリエチレンテレフタレートなどのポリエステル樹脂などのポリマーを利用可能である。
【０１１３】
一方、低屈折率層の材料としては、例えば、光を透過可能な多孔質体，エアロゲル（多孔質体），多孔質シリカ，フッ化マグネシウムあるいはこれを含む材料，フッ化マグネシウムの微粒子を分散したゲル，フッ素系ポリマーあるいはこれを含む材料，デンドリマーなど分岐構造を有するような多孔性ポリマー，所定の材料に無機微粒子及び有機微粒子の少なくともいずれか一方を含有した材料などを利用可能である。なお、エアロゲルは、湿潤ゲルを超臨界条件下で乾燥させることにより得られる。
【０１１４】
また、低屈折率層の材料としては、ポリマーバインダーに、可溶性あるいは分散性を有する屈折率の低いフルオロカーボン化合物を混在させたものを利用してもよい。ポリマーバインダーとしては、ポリビニルアルコール，ポリアクリル酸，ポリビニルピロリドン，ポリビニルスルホン酸ナトリウム塩，ポリビニルメチルエーテル，ポリエチレングリコール，ポリα−トリフルオロメチルアクリル酸，ポリビニルメチルエーテル−コ−無水マレイン酸，ポリエチレングリコール−コ−プロピレングリコール，ポリメタアクリル酸などが挙げられる。また、屈折率の低いフルオロカーボン化合物としては、パーフルオロオクタン酸−アンモニウム塩，パーフルオロオクタン酸−テトラメチルアンモニウム塩，Ｃ−７とＣ−１０のパーフルオロアルキルスルホン酸アンモニウム塩，Ｃ−７とＣ−１０のパーフルオロアルキルスルホン酸テトラメチルアンモニウム塩，フッ素化アルキル第４級アンモニウムアイオダイド，パーフルオロアジピン酸，パーフルオロアジピン酸の第４級アンモニウム塩などが挙げられる。
【０１１５】
ポリマーによって構成される各屈折率層は、例えば、以下のように形成される。基体（第２のガラス基板２２０Ａに相当）上にポリマーの前駆体あるいはモノマーを配置した後、硬化または重合する。すなわち、ポリマー層は、基体上に流動性の高いモノマーを塗布した後、硬化または重合することによって形成される。さらに、形成されたポリマー層を超臨界条件下で乾燥させれば、ポリマー層に残留している溶媒や、ポリマーの前駆体あるいはモノマーを除去できる。また、ポリマー層が多孔質体となる場合には、超臨界条件下で乾燥させれば、空隙率を維持できる。
【０１１６】
なお、高屈折率層の屈折率は、例えば、約１．５４に設定される。この場合には、低屈折率層の屈折率は、約１．５以下に設定されていることが好ましく、約１．２以下に設定されることが望ましい。
【図面の簡単な説明】
【０１１７】
【図１】画像表示装置１００の構成を模式的に示す説明図である。
【図２】２つの画像Ａ，Ｂが表示される過程を示す説明図である。
【図３】液晶パネル１２０の具体的な構成を示す説明図である。
【図４】図３の液晶パネル１２０に対応する比較例の構成を示す説明図である。
【図５】実施例および比較例における２つの画像Ａ，Ｂに対応する２つの適視領域を示す説明図である。
【図６】液晶パネルの種々の変形例を示す説明図である。
【図７】レンズ形状の第１の変形例を示す説明図である。
【図８】レンズ形状の第２の変形例を示す説明図である。
【符号の説明】
【０１１８】
１００…画像表示装置
１１０…バックライト
１２０，１２０Ａ〜１２０Ｄ，１２０ｚ，１２０Ａａ，１２０Ａｂ…液晶パネル
１２２…画像形成層
１２４…レンズ層
１３０ｚ…レンズ板
１８０…制御回路
１８２…画像供給部
２１０…ガラス基板
２２０，２２０Ａ，２２０ｚ…ガラス基板
２２４Ａ〜２２４Ｄ，２２４Ａａ，２２４Ａｂ…レンズ層
２３０…セルアレイ
２３２…トランジスタ層
２３４…液晶層
２３６…電極層
２３８…カラーフィルタ層
Ｌａ…レンズ層
ＷＡ，ＷＡｚ…第１の適視領域
ＷＢ，ＷＢｚ…第２の適視領域
θ，θｚ…分離角度
【図１】
2008216971.tif 000003
【図２】
2008216971.tif 000004
【図３】
2008216971.tif 000005
【図４】
2008216971.tif 000006
【図５】
2008216971.tif 000007
【図６】
2008216971.tif 000008
【図７】
2008216971.tif 000009
【図８】
2008216971.tif 000010